(57)【要約】【課題】待ち受けの処理を簡易にしながら２つの直接通信を同時に実行する技術を提供する。【解決手段】通信部５８は、通信を非実行の状態において、第１周波数を使用して１回目の通信を実行する。判定部６０は、通信部５８における１回目の通信が終了してから、第１周波数とは異なった第２周波数が使用可能であるか否かを判定する。通信部５８は、判定部６０において使用可能であると判定された場合、第２周波数を使用して２回目の通信を実行する。通信部５８は、判定部６０において使用不可能であると判定された場合、第１周波数を使用して２回目の通信を実行する。【選択図】図４
2019165345.tif 000002
【特許請求の範囲】
【請求項１】
通信を非実行の状態において、第１周波数を使用して１回目の通信を実行する通信部と、
前記通信部における１回目の通信が終了してから、第１周波数とは異なった第２周波数が使用可能であるか否かを判定する判定部とを備え、
前記通信部は、前記判定部において使用可能であると判定された場合、第２周波数を使用して２回目の通信を実行し、前記判定部において使用不可能であると判定された場合、第１周波数を使用して２回目の通信を実行することを特徴とする無線装置。
【請求項２】
前記判定部は、前記通信部において、第１周波数を使用した２回目の通信が終了してから、第２周波数が使用可能であるか否かを判定し、
前記通信部は、前記判定部において使用可能であると判定された場合、第２周波数を使用して３回目の通信を実行し、前記判定部において使用不可能であると判定された場合、第１周波数を使用して３回目の通信を実行することを特徴とする請求項１に記載の無線装置。
【請求項３】
前記判定部において使用可能であると判定された場合、タイマによる計測を開始する計測部をさらに備え、
前記通信部は、前記判定部において使用可能であると判定された場合、前記計測部におけるタイマが満了する前に通信を開始する際に第２周波数を使用し、前記計測部におけるタイマが満了すれば、通信を非実行状態に戻すことを特徴とする請求項１または２に記載の無線装置。
【請求項４】
通信を非実行の状態において、第１周波数を使用して１回目の通信を実行するステップと、
１回目の通信が終了してから、第１周波数とは異なった第２周波数が使用可能であるか否かを判定するステップと、
使用可能であると判定された場合、第２周波数を使用して２回目の通信を実行するステップと、
使用不可能であると判定された場合、第１周波数を使用して２回目の通信を実行するステップと、
を備えることを特徴とする通信方法。
【発明の詳細な説明】
【技術分野】
【０００１】
本発明は、通信技術に関し、特に予め定められた周波数を使用する無線装置、通信方法に関する。
【背景技術】
【０００２】
２つの周波数を受信周波数に設定可能である場合、一方を受信周波数に設定する。設定した受信周波数において着呼があれば、当該受信周波数が受信のためにそのまま使用される。一方、設定した受信周波数において着呼がなければ、他方に受信周波数を切りかえる。切りかえた受信周波数において着呼があれば、当該受信周波数が受信のためにそのまま使用される（例えば、特許文献１参照）。
【先行技術文献】
【特許文献】
【０００３】
【特許文献１】特開平５−２５２０７３号公報
【発明の概要】
【発明が解決しようとする課題】
【０００４】
２つの無線装置が直接通信する態様（以下、「直接通信」という）と、２つの無線装置が基地局装置を介して通信する態様（以下、「間接通信」という）とを実行可能な通信システムでは、これらの通信の両立が求められる。これらの通信の両立を簡易にするために、基地局装置が信号を受信するための周波数と、無線装置が信号を受信するための周波数とが別に設定される。そのため、直接通信では、無線装置が信号を受信するための周波数だけを使用して通信が行われる。その結果、間接通信が実行されていない場合でも、２つの直接通信が同時に実行されない。
【０００５】
本発明はこうした状況に鑑みてなされたものであり、その目的は、待ち受けの処理を簡易にしながら２つの直接通信を同時に実行する技術を提供することである。
【課題を解決するための手段】
【０００６】
上記課題を解決するために、本発明のある態様の無線装置は、通信を非実行の状態において、第１周波数を使用して１回目の通信を実行する通信部と、通信部における１回目の通信が終了してから、第１周波数とは異なった第２周波数が使用可能であるか否かを判定する判定部とを備える。通信部は、判定部において使用可能であると判定された場合、第２周波数を使用して２回目の通信を実行し、判定部において使用不可能であると判定された場合、第１周波数を使用して２回目の通信を実行する。
【０００７】
本発明の別の態様は、通信方法である。この方法は、通信を非実行の状態において、第１周波数を使用して１回目の通信を実行するステップと、１回目の通信が終了してから、第１周波数とは異なった第２周波数が使用可能であるか否かを判定するステップと、使用可能であると判定された場合、第２周波数を使用して２回目の通信を実行するステップと、使用不可能であると判定された場合、第１周波数を使用して２回目の通信を実行するステップと、を備える。
【０００８】
なお、以上の構成要素の任意の組合せ、本発明の表現を方法、装置、システム、記録媒体、コンピュータプログラムなどの間で変換したものもまた、本発明の態様として有効である。
【発明の効果】
【０００９】
本発明によれば、待ち受けの処理を簡易にしながら２つの直接通信を同時に実行できる。
【図面の簡単な説明】
【００１０】
【図１】実施例に係る通信システムの構成を示す図である。
【図２】間接通信モードの手順を示すシーケンス図である。
【図３】直接通信モードの手順を示すシーケンス図である。
【図４】実施例に係る無線装置の構成を示す図である。
【図５】実施例に係る通信システムによる通信手順を示すシーケンス図である。
【図６】図４の無線装置による通信手順を示すフローチャートである。
【発明を実施するための形態】
【００１１】
本発明を具体的に説明する前に、まず概要を述べる。本発明の実施例は、直接通信と間接通信とを実行可能な通信システムに関する。通信システムの一例は、業務用無線である。ここでは、ＰＴＴ（Ｐｕｓｈ  ｔｏ  Ｔａｌｋ）による通信を一例として説明する。ＰＴＴでは、ユーザが、無線装置のボタンを押下して会話を開始し、会話終了時にボタンを解放する。当該無線装置がボタン押し下げ中に音声信号を送信し、他の端末装置が音声データを受信する。他の無線装置は音声を再生する。直接通信モードの場合、無線装置から他の無線装置に音声信号が直接送信され、間接通信モードの場合、無線装置から他の無線装置に基地局装置を介して音声信号が送信される。直接通信モードと間接通信モードに対応すべき無線装置における待ち受け処理を簡易にするために、各無線装置が受信可能な周波数は一意に定められる。例えば、各無線装置は第１周波数で信号を受信する。
【００１２】
具体的に説明すると、直接通信モードでは、各無線装置は、第１周波数で信号を送信して、第１周波数で信号を受信する。一方、間接通信モードでは、各無線装置は第２周波数で信号を送信して、基地局装置は第２周波数で信号を受信する。また、基地局装置は第１周波数で信号を送信して、各無線装置は第１周波数で信号を受信する。つまり、間接通信モードでは、２つの周波数が使用されるが、直接通信モードでは、１つの周波数のみが使用される。その結果、１組の直接通信が実行されていれば、間接通信が実行されていなくても、つまり第２周波数が使用されていなくても、別の１組の直接通信は実行できない。このような状況下において、待ち受けの処理を簡易にしながら周波数の利用効率を向上することが求められる。
【００１３】
本実施例に係る通信システムの各無線装置は、直接通信モードにおいて１回目の通信を開始する際に、これまでと同様に第１周波数を使用する。１回目の通信が終了したタイミングにおいて、直接通信を実行していた各無線装置は、第２周波数が既に使用されているかを調査する。第２周波数が使用されていない場合、これらの無線装置は、第２周波数を使用して２回目の通信を実行する。一方、第２周波数が使用されている場合、これらの無線装置は、第１周波数を使用して２回目の通信を使用する。２回目の通信が第２周波数において実行されることによって、別の無線装置は、直接通信モードにおいて１回目の通信を開始する際に、これまでと同様に第１周波数を使用できる。
【００１４】
図１は、通信システム１００の構成を示す。前述のごとく、通信システム１００の一例は、業務用無線である。通信システム１００は、無線装置１０と総称される第１無線装置１０ａ、第２無線装置１０ｂ、基地局装置２０を含む。ここで、無線装置１０の数は「２」に限定されない。各無線装置１０には、ＰＴＴに対応した端末装置であり、音声信号の発信側になったり、音声信号の受信側になったりする。各無線装置１０には、無線装置１０を識別するための識別情報（以下、「ＵＩＤ」という）が付与される。例えば、第１無線装置１０ａのＵＩＤは「１０ａ」であり、第２無線装置１０ｂのＵＩＤは「１０ｂ」である。
【００１５】
直接通信モードにおいて、第１無線装置１０ａと第２無線装置１０ｂは、基地局装置２０を介さずに直接通信する。つまり、第１無線装置１０ａから送信された音声信号は第２無線装置１０ｂに受信され、第２無線装置１０ｂから送信された音声信号は第１無線装置１０ａに受信される。一方、間接通信モードにおいて、第１無線装置１０ａと第２無線装置１０ｂは、基地局装置２０を介して通信する。つまり、第１無線装置１０ａから送信された音声信号は、基地局装置２０を経由して第２無線装置１０ｂに受信される。また、第２無線装置１０ｂから送信された音声信号は、基地局装置２０を経由して第１無線装置１０ａに受信される。
【００１６】
図２は、間接通信モードの手順を示すシーケンス図である。第１無線装置１０ａ、第２無線装置１０ｂは電源オンになる（Ｓ１０２ａ、Ｓ１０２ｂ）。第１無線装置１０ａ、第２無線装置１０ｂは第１周波数で受信待ちする（Ｓ１０４ａ、Ｓ１０４ｂ）。第１無線装置１０ａにおいて送信モードが間接通信モードに設定される（Ｓ１０６）。第１無線装置１０ａにおいてＰＴＴボタンが押し下げられる（Ｓ１０８）。第１無線装置１０ａは第２周波数の空きを確認する（Ｓ１１０）。第１無線装置１０ａは第２周波数で音声信号を送信し（Ｓ１１２）、基地局装置２０は第１周波数で音声信号を送信する（Ｓ１１３）。第２無線装置１０ｂは第１周波数で音声信号を受信する（Ｓ１１４）。第２無線装置１０ｂは音声を再生する（Ｓ１１８）。第１無線装置１０ａにおいてＰＴＴボタンが解放される（Ｓ１２０）。第１無線装置１０ａは第２周波数で終了信号を送信し（Ｓ１２２）、基地局装置２０は第１周波数で終了信号を送信する（Ｓ１２４）。第１無線装置１０ａ、第２無線装置１０ｂは第１周波数で受信待ちする（Ｓ１２６、Ｓ１２８）。
【００１７】
第２無線装置１０ｂにおいてＰＴＴボタンが押し下げられる（Ｓ１３２）。第２無線装置１０ｂは第２周波数の空きを確認する（Ｓ１３４）。第２無線装置１０ｂは第２周波数で音声信号を送信し（Ｓ１３６）、基地局装置２０は第１周波数で音声信号を送信する（Ｓ１３８）。第１無線装置１０ａは第１周波数で音声信号を受信する（Ｓ１４０）。第１無線装置１０ａは音声を再生する（Ｓ１４４）。第２無線装置１０ｂにおいてＰＴＴボタンが解放される（Ｓ１４６）。第２無線装置１０ｂは第２周波数で終了信号を送信し（Ｓ１４８）、基地局装置２０は第１周波数で終了信号を送信する（Ｓ１５０）。第１無線装置１０ａは第１周波数で終了信号を受信する（Ｓ１５２）。
【００１８】
図３は、直接通信モードの手順を示すシーケンス図である。これは、これまでなされている直接通信モードに相当する。第１無線装置１０ａ、第２無線装置１０ｂ、第３無線装置１０ｃ、第４無線装置１０ｄは電源オンになる（Ｓ２０２ａ、Ｓ２０２ｂ、Ｓ２０２ｃ、Ｓ２０２ｄ）。第１無線装置１０ａ、第２無線装置１０ｂ、第３無線装置１０ｃ、第４無線装置１０ｄは第１周波数で受信待ちする（Ｓ２０４ａ、Ｓ２０４ｂ、Ｓ２０４ｃ、Ｓ２０４ｄ）。第１無線装置１０ａにおいて送信モードが直接通信モードに設定され、送信先ＵＩＤは１０ｂに設定される（Ｓ２０６）。第１無線装置１０ａにおいてＰＴＴボタンが押し下げられる（Ｓ２１０）。第１無線装置１０ａは第１周波数の空きを確認する（Ｓ２１２）。第１無線装置１０ａは第１周波数で音声信号を送信し（Ｓ２１４）、第２無線装置１０ｂは第１周波数で音声信号を受信する（Ｓ２１６）。第２無線装置１０ｂは、送信先ＵＩＤと自ＵＩＤの一致をチェックする（Ｓ２１８）。一致していれば、第２無線装置１０ｂは音声を再生する（Ｓ２２０）。第１無線装置１０ａにおいてＰＴＴボタンが解放される（Ｓ２２２）。第１無線装置１０ａは第１周波数で終了信号を送信する（Ｓ２２６）。第１無線装置１０ａ、第２無線装置１０ｂは第１周波数で受信待ちする（Ｓ２２８、Ｓ２３０）。
【００１９】
第２無線装置１０ｂにおいてＰＴＴボタンが押し下げられる（Ｓ２３４）。第２無線装置１０ｂは第１周波数で音声信号を送信する（Ｓ２３６）。第１無線装置１０ａは第１周波数で音声信号を受信する（Ｓ２３８）。第１無線装置１０ａは、送信先ＵＩＤと自ＵＩＤの一致をチェックする（Ｓ２４０）。一致していれば、第１無線装置１０ａは音声を再生する（Ｓ２４２）。第２無線装置１０ｂにおいてＰＴＴボタンが解放される（Ｓ２４４）。第２無線装置１０ｂは第１周波数で終了信号を送信する（Ｓ２４６）。第１無線装置１０ａは第１周波数で終了信号を受信する（Ｓ２４８）。
【００２０】
このような状況下において、第３無線装置１０ｃにおいて送信モードが直接通信モードに設定され、送信先ＵＩＤは１０ｄに設定される（Ｓ２６２）。第３無線装置１０ｃにおいてＰＴＴボタンが押し下げられる（Ｓ２６４）。第３無線装置１０ｃは第１周波数の空きを確認する（Ｓ２６６）。第１周波数は第１無線装置１０ａと第２無線装置１０ｂとの直接通信に使用されているので、第３無線装置１０ｃは送信不可になる（Ｓ２６８）。これに続いて、第３無線装置１０ｃにおいてＰＴＴボタンが押し下げられる（Ｓ２８４）。第３無線装置１０ｃは第１周波数の空きを確認する（Ｓ２８６）。ここでも、第１周波数は第１無線装置１０ａと第２無線装置１０ｂとの直接通信に使用されているので、第３無線装置１０ｃは送信不可になる（Ｓ２８８）。つまり、直接通信モードでは、第１周波数しか使用しないので、２つの直接通信は同時に成立しない。
【００２１】
図４は、無線装置１０の構成を示す。無線装置１０は、ＰＴＴボタン５０、音声入力部５２、音声出力部５４、制御部５６、通信部５８を含む。制御部５６は、判定部６０、計測部６２を含む。ＰＴＴボタン５０は、ユーザの操作により押下状態と解放状態（非押下状態）に切りかわる。音声入力部５２は、例えばマイクで構成され、ユーザの発話を集音し電気信号に変換する。音声出力部５４は、例えばスピーカで構成される。音声出力部５４は、制御部５６からの音声を再生する。
【００２２】
送信側の無線装置１０において、判定部６０は、ＰＴＴボタン５０の押下状態を検出した場合、通信部５８を介して第１周波数の電力を一定期間にわたって測定する。測定した電力がしきい値よりも小さい場合、判定部６０は、第１周波数が空いていると判定する。一方、測定した電力がしきい値以上である場合、第１周波数が空いていないと判定する。判定部６０において第１周波数が空いていると判定された場合、制御部５６は、ＰＴＴボタン５０の押下状態を検出している間にわたって、音声入力部５２から受けつけた電気信号を含むように音声信号を生成する。その際、制御部５６は、送信先ＵＩＤと送信元ＵＩＤも音声信号に含める。また、制御部５６は、当該通信が直接通信または間接通信のいずれであるかの情報も音声信号に含める。ここで、送信元ＵＩＤには、本無線装置１０を識別するためのＵＩＤが使用される。制御部５６は音声信号を通信部５８に出力し、通信部５８は第１周波数で音声信号を送信する。
【００２３】
一方、受信側の無線装置１０における通信部５８は第１周波数で受信待ちを実行する。通信部５８は、第１周波数で音声信号を受信した場合、音声信号を制御部５６に出力する。制御部５６は、通信部５８から音声信号を受けつけると、音声信号に含まれた送信先ＵＩＤと自装置のＵＩＤとの一致を確認する。ＵＩＤが一致していなければ処理は終了されるが、ＵＩＤが一致している場合、制御部５６は音声信号に含まれた音声を音声出力部５４に出力する。つまり、通信部５８は、通信を非実行の状態において、第１周波数を使用して１回目の通信を実行する。このような処理は、受信側の無線装置１０の通信部５８が音声信号を受信している間、つまり送信側の無線装置１０のＰＴＴボタン５０が押下状態である間にわたって継続される。
【００２４】
送信側の無線装置１０において、制御部５６は、ＰＴＴボタン５０の解放状態を検出した場合、音声信号の送信終了を知らせるための信号（以下、「終了信号」という）を生成する。終了信号には、音声信号と同一の送信先ＵＩＤと送信元ＵＩＤが含まれる。また、終了信号には、当該通信が直接通信または間接通信のいずれであるかの情報も含まれる。制御部５６は終了信号を通信部５８に出力し、通信部５８は第１周波数で終了信号を送信する。受信側における通信部５８が終了信号を受信すると、制御部５６は通信を終了する。これにより、送信側と受信側の無線装置１０における通信部５８では、１回目の通信が終了する。
【００２５】
送信側と受信側の無線装置１０において、判定部６０は、１回目の通信が終了してから、通信部５８を介して第２周波数の電力を一定期間にわたって測定する。測定した電力がしきい値よりも小さい場合、判定部６０は、第２周波数が空いていると判定する。一方、測定した電力がしきい値以上である場合、第２周波数が空いていないと判定する。ここで、第２周波数は第１周波数とは異なった周波数であり、このように、第２周波数が使用可能であるか否かが判定される。
【００２６】
判定部６０において使用不可能であると判定された場合、第１周波数が再び使用され、２回目の通信がこれまでと同様に実行される。なお、２回目の通信とは、１回目の通信における送信側の無線装置１０と受信側の無線装置１０との間で実行される直接通信を示すが、送信側の無線装置１０と受信側の無線装置１０とが入れ替わってもよい。なお、「２回目の通信」以外の通信には、例えば、間接通信モードによる通信、直接通信モードで、送信先ＵＩＤに、１回目の通信の送信先ＵＩＤあるいは宛先ＵＩＤが含まれない通信が含まれる。このような場合、第２周波数が使用可能でも、第１周波数で通信がなされる。
【００２７】
判定部６０において使用可能であると判定された場合、計測部６２は、タイマによる計測を開始する。タイマが満了する前に、一方の無線装置１０の制御部５６は、ＰＴＴボタン５０の押下状態を検出すると、音声入力部５２から受けつけた電気信号を含むように音声信号を生成する。これは２回目の通信のための音声信号である。制御部５６は音声信号を通信部５８に出力し、通信部５８は第２周波数で音声信号を送信する。タイマが満了するまでの間、他方の無線装置１０の通信部５８は第２周波数で受信待ちを実行する。通信部５８は、第２周波数で音声信号を受信した場合、音声信号を制御部５６に出力する。これに続く処理はこれまでと同様である。つまり、通信部５８は、判定部６０において使用可能であると判定された場合、計測部６２におけるタイマが満了する前に２回目の通信を開始する際に第２周波数を使用する。一方、計測部６２におけるタイマが満了すれば、両方の無線装置１０の制御部５６、通信部５８は、通信を非実行の状態に戻す。
【００２８】
３回目以降の通信についても、２回目の通信と同様の処理が実行される。特に、通信部５８において、第１周波数を使用した２回目の通信が終了した場合、判定部６０は、第２周波数が使用可能であるか否かを判定する。判定部６０において使用可能であると判定された場合、通信部５８は、タイマが満了する前であれば、第２周波数を使用して３回目の通信を実行する。一方、判定部６０において使用不可能であると判定された場合、通信部５８は、第１周波数を使用して３回目の通信を実行する。
【００２９】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００３０】
以上の構成による通信システム１００の動作を説明する。図５は、通信システム１００による通信手順を示すシーケンス図である。第１無線装置１０ａ、第２無線装置１０ｂ、第３無線装置１０ｃ、第４無線装置１０ｄは電源オンになる（Ｓ３０２ａ、Ｓ３０２ｂ、Ｓ３０２ｃ、Ｓ３０２ｄ）。第１無線装置１０ａ、第２無線装置１０ｂ、第３無線装置１０ｃ、第４無線装置１０ｄは第１周波数で受信待ちする（Ｓ３０４ａ、Ｓ３０４ｂ、Ｓ３０４ｃ、Ｓ３０４ｄ）。第１無線装置１０ａにおいて送信モードが直接通信モードに設定され、送信先ＵＩＤは１０ｂに設定される（Ｓ３０６）。第１無線装置１０ａにおいてＰＴＴボタンが押し下げられる（Ｓ３０８）。第１無線装置１０ａは第１周波数の空きを確認する（Ｓ３１０）。第１無線装置１０ａは第１周波数で音声信号を送信する（Ｓ３１２）。つまり、第１無線装置１０ａは、第１周波数が使用されていない場合、第１無線装置１０ａのＰＴＴボタン５０で集音した音声を第１周波数を使用して送信する。さらに、送信元ＵＩＤ（第１無線装置１０ａのＵＩＤである１０ａ）と、送信先のＵＩＤ（第２無線装置１０ｂのＵＩＤである１０ｂ）が音声とともに送信される。なお、第１周波数が使用されている場合は、送信を行わず、その旨がユーザに通知される。
【００３１】
第２無線装置１０ｂは第１周波数で音声信号を受信する（Ｓ３１４）。第２無線装置１０ｂは、送信先ＵＩＤと自ＵＩＤの一致をチェックする（Ｓ３１６）。第２無線装置１０ｂは、ＵＩＤが一致した場合、音声信号に含まれる音声を音声出力部５４から再生する（Ｓ３１８）。なお、ＵＩＤが一致しない場合は音声は再生されない。第１無線装置１０ａにおいてＰＴＴボタンが解放される（Ｓ３２０）。第１無線装置１０ａは第１周波数で終了信号を送信する（Ｓ３２２）。第２無線装置１０ｂは第１周波数で終了信号を受信する（Ｓ３２３）。第１無線装置１０ａ、第２無線装置１０ｂは第２周波数の空きを確認する（Ｓ３２４、Ｓ３２５）。第２周波数が空いている場合、第１無線装置１０ａ、第２無線装置１０ｂは、タイマを開始する（Ｓ３２６、Ｓ３２７）。第１無線装置１０ａは、第２周波数で受信待ちする（Ｓ３３０）。
【００３２】
第２無線装置１０ｂにおいてタイマが満了する前にＰＴＴボタン５０が押し下げられる（Ｓ３３２）。タイマが満了した後にＰＴＴボタン５０が押し下げられた場合、音声信号は、予め設定された通信方式で送信されればよい。第２無線装置１０ｂは第２周波数で音声信号を送信する（Ｓ３３６）。ここで、送信元（ｓｒｃ）のＵＩＤ（第２無線装置１０ｂのＵＩＤである１０ｂ）と、送信先（ｄｓｔ）のＵＩＤ（第１無線装置１０ａのＵＩＤである１０ａ）が音声信号に含まれる。第１無線装置１０ａは、タイマが満了する前に第２周波数で音声信号を受信する（Ｓ３３８）。なお、タイマが満了した場合、第１無線装置１０ａは、受信待ちする周波数を第２周波数から第１周波数に戻す。Ｓ３４０〜Ｓ３５４は、Ｓ３１６〜Ｓ３２７と同様な処理であるため説明を省略する。
【００３３】
このような状況下において、第３無線装置１０ｃにおいて送信モードが直接通信モードに設定され、送信先ＵＩＤは１０ｄに設定される（Ｓ３６２）。第３無線装置１０ｃにおいてＰＴＴボタンが押し下げられる（Ｓ３６４）。第３無線装置１０ｃは第１周波数の空きを確認する（Ｓ３６６）。第１周波数は第１無線装置１０ａと第２無線装置１０ｂとの直接通信に使用されているので、第３無線装置１０ｃは送信不可になる（Ｓ３６８）。これに続いて、第３無線装置１０ｃにおいてＰＴＴボタンが押し下げられる（Ｓ３７０）。第３無線装置１０ｃは第１周波数の空きを確認する（Ｓ３７２）。ここで、第３無線装置１０ｃは、第２周波数が使用されているので、第１周波数は使用されていないことを確認する。第３無線装置１０ｃは、ＰＴＴボタン５０で集音した音声を第１周波数を使用して送信する（Ｓ３７４）。ここで、送信元のＵＩＤ（第３無線装置１０ｃのＵＩＤである１０ｃ）と、送信先のＵＩＤ（第４無線装置１０ｄのＵＩＤである１０ｄ）が音声信号に含まれる。Ｓ３７６〜Ｓ３８４は、Ｓ３１４〜Ｓ３２２と同様な処理である。
【００３４】
図６は、無線装置１０による通信手順を示すフローチャートである。通信部５８は、通信で使用する周波数を記憶する変数である周波数Ｆの値を第１周波数に設定する（Ｓ５０２）。制御部５６、通信部５８は、周波数Ｆで、着呼確認を行う（Ｓ５０４）。制御部５６は通信開始を判定する（Ｓ５０６）。例えば、着呼があった場合、あるいはＰＴＴボタン５０の押下が検知された場合に通信開始が決定される。通信開始でなければ（Ｓ５０６のＮｏ）、ステップ５０４に戻る。通信開始であれば（Ｓ５０６のＹｅｓ）、通信部５８は、周波数Ｆで１回目の通信を実行する（Ｓ５０８）。１回目の通信は、終了信号の送信あるいは受信により終了される。
【００３５】
直接通信でなければ（Ｓ５０９のＮｏ）、ステップ５０４に戻る。直接通信であれば（Ｓ５０９のＹｅｓ）、判定部６０は、第２周波数が空いているか否か判定する（Ｓ５１２）。空いている場合（Ｓ５１２のＹｅｓ）、通信部５８は、周波数Ｆの値を第２周波数に変更する（Ｓ５１４）。空いていない場合（Ｓ５１２のＮｏ）、通信部５８は、周波数Ｆの値を変更しない。計測部６２は、タイマを開始する（Ｓ５１６）。通信部５８は、タイマが満了したか否かを判定する（Ｓ５１８）。タイマが満了していない場合（Ｓ５１８のＮｏ）、制御部５６、通信部５８は、周波数Ｆで着呼確認を行う（Ｓ５２０）。制御部５６は通信開始を判定する（Ｓ５２２）。通信開始でなければ（Ｓ５２２のＮｏ）、ステップ５１８に戻る。通信開始であれば（Ｓ５２２のＹｅｓ）、通信部５８は、周波数Ｆで２回目以降の通信を実行する（Ｓ５２４）。２回目以降の通信は、終了信号の送信あるいは受信により終了される。
【００３６】
通信部５８は、周波数Ｆの値が第２周波数であるか否かを判定する（Ｓ５３２）。周波数Ｆの値が第２周波数である場合（Ｓ５３２のＹｅｓ）、通信部５８は、周波数Ｆの値を第２周波数としたまま、ステップ５１６に戻る。すなわち、１度、周波数Ｆの値が第２周波数とした場合は、以降の通信等は常に第２周波数を使用して実行される。周波数Ｆの値が第２周波数でない場合（Ｓ５３２のＮｏ）、ステップ５１２に戻る。すなわち、１回目、２回目の通信が第１周波数で実行されても、２回目の通信実行終了後に第２周波数が空いていれば、以降の通信は常に第２周波数を使用して実行される。タイマが満了した場合（Ｓ５１８のＹｅｓ）、制御部５６は、ユーザにより電源オフの操作が行われたか否かを判定する（Ｓ５３４）。ユーザにより電源オフの操作が行われたと判定した場合（Ｓ５３４のＹｅｓ）、処理は終了される。ユーザにより電源オフの操作が行われたと判定しなかった場合（Ｓ５３４のＮｏ）、ステップ５０２に戻る。つまり、複数の通信から構成される一連の通信が終了し、最初の状態に戻る。
【００３７】
本実施例によれば、第１周波数を使用した１回目の通信が終了してから、第２周波数が使用可能であるか否かを判定し、使用可能であれば第２周波数を使用して２回目の通信を実行するので、２つの周波数を使用できる。また、２つの周波数が使用されるので、周波数の利用効率を向上できる。また、２つの周波数が使用されるので、２組の直接通信を実行できる。また、１回目の通信には第１周波数を使用するので、１つの周波数のみで待ち受けを実行できる。また、１つの周波数のみで待ち受けが実行されるので、待ち受けの処理を簡易にできる。また、第１周波数を使用した２回目の通信が終了してから、第２周波数が使用可能であるか否かを判定し、使用可能であれば第２周波数を使用して３回目の通信を実行するので、周波数の利用効率を向上できる。また、使用可能であると判定された場合、タイマによる計測を開始し、タイマが満了する前に通信を開始すれば第２周波数を使用するので、第２周波数を使用可能な期間を制限できる。また、第２周波数を使用可能な期間が制限されるので、他の通信に与える影響を低減できる。
【００３８】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００３９】
本実施例において、通信システム１００は、業務用無線を使用している。しかしながらこれに限らず例えば、業務用無線以外の無線通信システムが使用されてもよい。本実施例によれば、構成の自由度を向上できる。
【符号の説明】
【００４０】
１０  無線装置、  ２０  基地局装置、  ５０  ＰＴＴボタン、  ５２  音声入力部、  ５４  音声出力部、  ５６  制御部、  ５８  通信部、  ６０  判定部、  ６２  計測部、  １００  通信システム。
【図１】
2019165345.tif 000003
【図２】
2019165345.tif 000004
【図３】
2019165345.tif 000005
【図４】
2019165345.tif 000006
【図５】
2019165345.tif 000007
【図６】
2019165345.tif 000008